(57)【要約】      （修正有）【課題】衣服等の汚れ部分に洗浄剤を無駄なく確実に塗布でき、さらに、衣服表面に強固に付着している汚れの除去が行えるようにする。【解決手段】貯留される衣料用洗浄液剤をポンプ機構によって吐出ノズル３から吐出供給する衣料用洗浄液剤の供給部材と、吐出ノズル３から吐出される衣料用洗浄液剤をブラシ面９において塗布可能とするブラシ部材７とを備え、ブラシ面９部分が取り換え可能とする衣料用洗浄液剤の塗布装置。【選択図】図２
2017052526.tif 000002
【特許請求の範囲】
【請求項１】
貯留される衣料用洗浄液剤をポンプ機構によって吐出ノズルから吐出供給する衣料用洗浄液剤の供給部材と、前記吐出ノズルから吐出される前記衣料用洗浄液剤をブラシ面において塗布可能とするブラシ部材とを備えることを特徴とする衣料用洗浄液剤の塗布装置。
【請求項２】
前記ブラシ面部分が着脱可能である請求項１記載の衣料用洗浄液剤の塗布装置。
【発明の詳細な説明】
【技術分野】
【０００１】
この発明は、衣服等の部分汚れを除去するための衣料用洗浄液剤の塗布装置に関する。
【背景技術】
【０００２】
衣服の襟や袖に付いた皮脂による部分汚れ等は、洗濯機等での洗濯に先立ってその汚れ部分に専用の洗浄剤を塗布しておくことによって除去するようにしている。
【発明の概要】
【発明が解決しようとする課題】
【０００３】
従来における上記洗浄剤の衣服等への塗布は、固形の洗浄剤を塗り付けたり、また、液状の洗浄剤をノズルより噴射したりすることで行っているが、汚れ部分に無駄なく確実に塗布することが難しい問題があった。また、汚れが衣服表面に強固に付着している場合は洗浄剤を塗布しても汚れが十分に除去されない場合があった。とくに、固形の洗浄剤を塗り付ける場合は衣服等の繊維を傷める問題もあった。
【０００４】
この発明は上記の事情に鑑みて行ったもので、衣服等の汚れ部分に洗浄剤を無駄なく確実に塗布でき、さらに、衣服表面に強固に付着している汚れの除去が行えるようにすることを目的とする。
【課題を解決するための手段】
【０００５】
この発明では、貯留される衣料用洗浄液剤をポンプ機構によって吐出ノズルから吐出供給する衣料用洗浄液剤の供給部材と、前記吐出ノズルから吐出される前記衣料用洗浄液剤をブラシ面において塗布可能とするブラシ部材とを備える衣料用洗浄液剤の塗布装置を提供する。
【０００６】
上記構成の衣料用洗浄液剤の塗布装置は、ブラシ面を汚れ面に相対するようにして洗浄液剤を塗布することで、汚れ上の位置に正確に塗布できるので、洗浄液剤が無駄なく使用されるとともに汚れの除去が良好に行われる。また、洗浄液剤で軟化した汚れの一部がブラシ面によってかき落とされることでも汚れが効果的に除去される。
【０００７】
ブラシ面部分が着脱可能である構成とされることで、ブラシ面に汚れが付着した場合はブラシ面部分を取り外し洗浄して使用することができる。
【発明の効果】
【０００８】
この発明によれば、洗浄液剤を衣服等の汚れ部分に無駄なく確実に塗布できるようになって、部分汚れの除去が良好に行えるようになる。とくに、衣服表面に強固に付着している汚れの除去が行えるようになる。
【図面の簡単な説明】
【０００９】
【図１】この発明の衣料用洗浄液剤の塗布装置の実施形態の側面図
【図２】この発明の衣料用洗浄液剤の塗布装置の実施形態の分解斜視図
【図３】この発明の衣料用洗浄液剤の塗布装置の実施形態の要部断面図
【図４】この発明の衣料用洗浄液剤の塗布装置の実施形態のブラシ片の背面斜視図
【図５】この発明の衣料用洗浄液剤の塗布装置の実施形態のガイド片の背面斜視図
【図６】この発明の衣料用洗浄液剤の塗布装置の実施形態のカバー片の背面斜視図
【図７】この発明の衣料用洗浄液剤の塗布装置の実施形態の使用説明図
【発明を実施するための最良の形態】
【００１０】
図１はこの発明の衣料用洗浄液剤の塗布装置の実施形態の側面図、図２は同分解斜視図、図３は同要部断面図である。
【００１１】
塗布装置１は上部内部にポンプ機構を備えるとともに上端に吐出ノズル３を備える洗浄液剤の貯留容器（洗浄液剤の供給部材）５と、貯留容器５の吐出ノズル３部分に装着されるブラシ部（ブラシ部材）７と、ブラシ部７の前面を覆うように装着される透明のカバー体８とからなる。
【００１２】
ブラシ部７は、前面をブラシ面９とするブラシ片１０と洗浄液体のガイド片１２とカバー片１４とからなる。ブラシ片１０はシリコン樹脂の一体成形品よりなり、図４に示すように、背面に凹所１５を備え、その凹所１５面には前面のブラシ面９側に連通する４個の穴１７が設けられ、背面の周縁の上下位置、両側位置の４か所には係止穴１６が設けられている。ガイド片１２の前面には後面に連通する穴１９が設けられた４個のボス部２１が突設され、背面には、図５に示すように、中央位置から上記穴１９それぞれに洗浄液剤を案内するガイド体２５が突設されている。カバー片１４は上下位置、両側位置の４か所において外方に突出する係止片２７のそれぞれが設けられ、前面にはガイド体２８が突設され、後面の中央には、図６に示すように、取り付け用凸部２６を備え、その取り付け用凸部２６の中央には前面のガイド体２８の中央位置に連通する穴２９を備えている。
【００１３】
上記構成のブラシ片１０とカバー片１４との間にガイド片１２が挟持される状態で一体とされてブラシ部７が組み立てられる。すなわち、ブラシ片１０の背面の凹部１５内にガイド片１２が配置され、その背面に係止片２７のそれぞれがブラシ片１０の係止穴１６のそれぞれに内側から係止されるようにしてカバー片１４が取り付けられる。この取り付け状態においては、ガイド片１２の４個のボス部２１がブラシ片１０の４個の穴１７に嵌り、カバー片１４のガイド体２８がガイド片１２のガイド体２５に外嵌する状態となる。
【００１４】
ブラシ部７は、出ノズル３部分のノズル穴３０にカバー体１４の取り付け用凸部２６が嵌入され、その係止縁部３５がノズル穴３０の縁部内側に係止することで取り付けられている。ポンプ機構からの洗浄液パイプ３６はノズル穴３０を通してカバー片１４の取り付け用凸部２６の穴２９が接続されている。
【００１５】
上記のように吐出ノズル３にブラシ部７が取り付けられることで、吐出ノズル３が押し下げられてポンプ機構が作動すると、洗浄液剤パイプ３６から吐出ノズル３に至った洗浄液剤はカバー片１４の穴２９からガイド片１２の背面に至り、ガイド体２５で覆われるガイド体２８に案内され穴１９のそれぞれを通してブラシ片１０の前面において４か所の穴１７から吐出される。
【００１６】
次に、図７を参照して塗布装置１の塗布動作を説明する。５０は衣服であり、その表面に汚れ５２が付着し、また、汚れ５２は衣服５０内部に浸透している。塗布装置１はカバー体８が取り外された状態で貯留容器５が手に持たれ、ブラシ部７のブラシ面９が汚れ５２上に隙間空間を介して相対する位置で指により吐出ノズル３の頂部が押し下げられ、４か所の穴１７から吐出される洗浄液剤がブラシ面９のほぼ全体で汚れ５２上に塗布される。
【００１７】
汚れ５２上に洗浄液剤が塗布された状態で、図７に示すように、ブラシ面９が汚れ５２面に当接されて擦り合されることで、軟化した汚れ５２の一部がかき落とされるとともに洗浄液剤は汚れ５２部分に浸透し、この状態において洗濯機に投入される等して衣服の洗濯がなされる。このようにして汚れ５２が効果的に除去される。また、ブラシ面７を汚れ５２面に相対させて洗浄液剤を塗布することで、汚れ５２上の位置に正確に洗浄液剤が無駄なく使用されるとともに汚れの除去が良好に行われる。なお、ブラシ面９がシリコン樹脂よりなり柔らかいことで、ブラシ面９の接触による衣服面の損傷は回避される。
【００１８】
上記のように、汚れ５２に直接接触されて使用されることでブラシ面９に汚れ５２が付着するが、その際には、ブラシ片１０がカバー片１４と係止穴１６と係止片２７との係止構造で着脱可能とされていることで、ブラシ片１０を取り外し洗浄して使用することができる。
【符号の説明】
【００１９】
１  洗浄液剤の塗布装置
３  吐出ノズル
５  貯留容器（洗浄液剤の供給部材）
７  ブラシ部（ブラシ部材）
９  ブラシ面
【図１】
2017052526.tif 000003
【図２】
2017052526.tif 000004
【図３】
2017052526.tif 000005
【図４】
2017052526.tif 000006
【図５】
2017052526.tif 000007
【図６】
2017052526.tif 000008
【図７】
2017052526.tif 000009